(57)【要約】【課題】簡単な構成で、電流センサの状態を判定できる分散型発電装置を提供する。【解決手段】操作手段１１５の操作指令により、制御手段１１４は、切替手段１１２を切り替えると共に、切替手段１１２により電力負荷１１３を第１の電線（Ｕ相）１０１ａ−第３の電線（Ｏ相）１０１ｃ間に接続する直前と直後の第１の電流センサ１１１ａ及び第２の電流センサ１１１ｂが検出する電流値の変化量と、切替手段１１２により電力負荷１１３を第２の電線（Ｗ相）１０１ｂ−第３の電線（Ｏ相）１０１ｃ間に接続する直前と直後の第１の電流センサ１１１ａ及び第２の電流センサ１１１ｂが検出する電流値の変化量とに基づいて、第１の電流センサ１１１ａ及び第２の電流センサ１１１ｂの状態を判定し、その判定結果を表示手段１１６に表示する。【選択図】図１
2011160562.tif 000002
【特許請求の範囲】
【請求項１】
発電機が生成した直流電力を交流電力に変換して単相３線式の電力系統と連系する分散型発電装置であって、前記電力系統と前記分散型発電装置の連系点において第１の電線から第３の電線の３線のうちの第１の電線に流れる電流の大きさと正負の向きを検出するための第１の電流センサと、前記連系点において前記３線のうちの第２の電線に流れる電流の大きさと正負の向きを検出するための第２の電流センサと、前記発電機、前記電力系統の第１の電線−第３の電線間、第２の電線−第３の電線間のいずれか一つと切替手段を介して接続される電力負荷と、前記発電機、前記第１の電線−第３の電線間、前記第２の電線−第３の電線間のいずれか一つに前記電力負荷を接続するように前記切替手段を切り替えると共に前記切替手段により前記電力負荷を前記第１の電線−第３の電線間に接続する直前と直後の前記第１、第２の電流センサが検出する電流値の変化量と前記切替手段により前記電力負荷を前記第２の電線−第３の電線間に接続する直前と直後の前記第１、第２の電流センサが検出する電流値の変化量とに基づいて前記第１、第２の電流センサの状態を判定する制御手段とを備えた分散型発電装置。
【請求項２】
発電機が生成した直流電力を交流電力に変換して単相３線式の電力系統と連系する分散型発電装置であって、前記電力系統と前記分散型発電装置の連系点において第１の電線から第３の電線の３線のうちの第１の電線に流れる電流の大きさと正負の向きを検出するための第１の電流センサと、前記連系点において前記３線のうちの第２の電線に流れる電流の大きさと正負の向きを検出するための第２の電流センサと、前記電力系統の第１の電線−第２の電線間、第１の電線−第３の電線間、第２の電線−第３の電線間のいずれか一つと切替手段を介して接続される電力負荷と、前記第１の電線−第２の電線間、前記第１の電線−第３の電線間、前記第２の電線−第３の電線間のいずれか一つに前記電力負荷を接続するように前記切替手段を切り替えると共に前記切替手段により前記電力負荷を前記第１の電線−第３の電線間に接続する直前と直後の前記第１、第２の電流センサが検出する電流値の変化量と前記切替手段により前記電力負荷を前記第２の電線−第３の電線間に接続する直前と直後の前記第１、第２の電流センサが検出する電流値の変化量とに基づいて前記第１、第２の電流センサの状態を判定する制御手段とを備えた分散型発電装置。
【請求項３】
制御手段は、切替手段により電力負荷を電力系統の第１の電線−第３の電線間に接続する直前と直後で第１の電流センサが検出する電流値の変化量が負の場合には、前記第１の電流センサが逆向きに取り付けられている異常と判定し、前記切替手段により前記電力負荷を前記電力系統の第２の電線−第３の電線間に接続する直前と直後で第２の電流センサが検出する電流値の変化量が負の場合には、前記第２の電流センサが逆向きに取り付けられている異常と判定する請求項１または２に記載の分散型発電装置。
【請求項４】
制御手段は、第１の電流センサが逆向きに取り付けられていると判定した後は、前記第１の電流センサが検出する電流の向きを示す正負を反転させ、第２の電流センサが逆向きに取り付けられていると判定した後は、前記第２の電流センサが検出する電流の向きを示す正負を反転させる請求項３に記載の分散型発電装置。
【請求項５】
制御手段は、切替手段により電力負荷を電力系統の第１の電線−第３の電線間に接続する直前と直後で第２の電流センサが検出する電流値の変化量が所定範囲から外れた場合には、前記第２の電流センサが誤って前記第１の電線または前記第３の電線に取り付けられている異常と判定し、前記切替手段により前記電力負荷を前記電力系統の第２の電線−第３の電線間に接続する直前と直後で第１の電流センサが検出する電流値の変化量が所定範囲から外れた場合には、前記第１の電流センサが誤って前記第２の電線または前記第３の電線に取り付けられている異常と判定する請求項１から４のいずれか１項に記載の分散型発電装置。
【請求項６】
制御手段は、切替手段により電力負荷を電力系統の第１の電線−第３の電線間に接続する直前と直後で第１の電流センサが検出する電流値の変化量が所定範囲内の場合には、前記第１の電流センサが故障または断線または前記第１の電線に正しく取り付けられていない可能性がある異常と判定し、前記切替手段により前記電力負荷を前記電力系統の第２の電線−第３の電線間に接続する直前と直後で第２の電流センサが検出する電流値の変化量が所定範囲内の場合には、前記第２の電流センサが故障または断線または前記第２の電線に正しく取り付けられていない可能性がある異常と判定する請求項１から５のいずれか１項に記載の分散型発電装置。
【請求項７】
操作手段を備え、制御手段は、前記操作手段の操作指令により、切替手段の切替えを行って、第１、第２の電流センサの状態の判定を行う請求項１から６のいずれか１項に記載の分散型発電装置。
【請求項８】
制御手段による第１、第２の電流センサの状態の判定結果を表示する表示手段を備えた請求項１から７のいずれか１項に記載の分散型発電装置。
【発明の詳細な説明】
【技術分野】
【０００１】
本発明は、電力系統と連系して電力系統および交流負荷へ交流電力を供給する分散型発電装置に関するものである。
【背景技術】
【０００２】
従来のこの種の分散型発電装置としては、例えば図４に示す構成のものがある（例えば、特許文献１参照）。以下、上記従来の分散型発電装置について、図面を参照しながら説明する。図４は、従来の分散型発電装置のブロック図である。
【０００３】
図４に示すように、従来の分散型発電装置Ｓは、発電機１と、分電盤２と、Ｕ相、Ｏ相、Ｗ相から成る単相３線式の電力系統３と、演算記憶手段７と、表示手段１０とで構成される。ここで、発電機１は、電力系統３と連系接続され、発電電力を逆潮流可能な交流電力として出力する自家発電手段である。分電盤２は、分岐断路器４と、電力系統３と分岐断路器４との間にＵ相の電流を検出する電流センサＣＴａと、Ｗ相の電流を検出する電流センサＣＴｂを備える。
【０００４】
演算記憶手段７は、売電・買電電力の演算・記憶を行うものであり、電力系統３の電圧を検出する電圧検出信号５と、電流センサＣＴｂからの電流検出信号６ｂと電圧検出信号５からの電圧情報を受信し、電力演算を行なう電力演算手段８ａと、電流センサＣＴａからの電流検出信号６ａと電圧検出信号５からの電圧情報を受信し、電力演算を行なう電力演算手段８ｂと、電力演算手段８ａ，８ｂからの演算結果を受信する加算演算手段１４と、電力演算手段８ａ，８ｂの正負の符号を記憶する不揮発性メモリ１５（本従来では、逆潮流の場合を負とする）と、発電機１の運転状態及び停止状態を受信する符号判定手段１６を備える。
【０００５】
以上のように構成された従来の分散型発電装置Ｓは、装置施工後に、発電機１が発電していないときは、逆潮流（売電）が行なわれることはあり得ないことを利用し、発電機１から符号判定手段１６に送られる発電情報が、通信データ無し状態（無発電状態）や、発電停止状態を知らせる信号であるときに、電流センサＣＴａ，ＣＴｂで検出した電流検出信号６（６ａ，６ｂ）を各電力演算手段８（８ａ，８ｂ）で演算させる。
【０００６】
その各結果の絶対値が所定値以上（例として、０．１ｋＷ以上）である場合において、例えば電力演算手段８ａの結果に負の符号が付いている場合は、電流センサＣＴｂの逆方向取付における電力演算手段８ａの符号逆転が生じていると判断されるので、符号判定手段１６の不揮発性メモリ１５に符号を反転させることが必要であることを記憶させる。そして、この場合以降は、電力演算手段８ａから負の符号のデータが出力されると正の符号に、正の符号のデータが出力されると負の符号に変換するように、加算演算手段１４に補正要請の信号を出力し、電流センサＣＴｂの逆方向取付による電流方向の符号逆転が正しく補正されるようになる。同様にして、電流センサＣＴａの逆方向取付における電力演算手段８ｂの符号逆転が生じた場合も対応可能である。
【先行技術文献】
【特許文献】
【０００７】
【特許文献１】特開２００４−２９７９５９号公報
【発明の概要】
【発明が解決しようとする課題】
【０００８】
しかしながら、上記従来の構成では、施工・メンテ作業において、２つの電流センサＣＴａ，ＣＴｂが主幹ブレーカの２次側でなく分岐ブレーカの２次側、または同相、逆相などに取り付けられる、つまり、電力系統３と分散型発電装置Ｓの連系点とは異なる位置に取り付けられたり、故障などが発生した場合、正しく電流を計測することができず、表示手段１０に誤った電力情報が表示されたり、発電機１が発電している際に受電電力を基に行う発電量の決定や、逆潮流を防止する制御が正常にできないという課題を有していた。
【０００９】
本発明は、上記従来の課題を解決するもので、簡単な構成で、電流センサの状態を判定できる分散型発電装置を提供することを目的とする。
【課題を解決するための手段】
【００１０】
上記目的を達成するために、本発明の分散型発電装置は、発電機が生成した直流電力を交流電力に変換して単相３線式の電力系統と連系する分散型発電装置であって、前記電力系統と前記分散型発電装置の連系点において第１の電線から第３の電線の３線のうちの第１の電線に流れる電流の大きさと正負の向きを検出するための第１の電流センサと、前記連系点において前記３線のうちの第２の電線に流れる電流の大きさと正負の向きを検出するための第２の電流センサと、前記発電機、前記電力系統の第１の電線−第３の電線間、第２の電線−第３の電線間のいずれか一つと切替手段を介して接続される電力負荷と、前記発電機、前記第１の電線−第３の電線間、前記第２の電線−第３の電線間のいずれか一つに前記電力負荷を接続するように前記切替手段を切り替えると共に前記切替手段により前記電力負荷を前記第１の電線−第３の電線間に接続する直前と直後の前記第１、第２の電流センサが検出する電流値の変化量と前記切替手段により前記電力負荷を前記第２の電線−第３の電線間に接続する直前と直後の前記第１、第２の電流センサが検出する電流値の変化量とに基づいて前記第１、第２の電流センサの状態を判定する制御手段とを備えたのである。
【００１１】
また、別の本発明の分散型発電装置は、発電機が生成した直流電力を交流電力に変換して単相３線式の電力系統と連系する分散型発電装置であって、前記電力系統と前記分散型発電装置の連系点において第１の電線から第３の電線の３線のうちの第１の電線に流れる電流の大きさと正負の向きを検出するための第１の電流センサと、前記連系点において前記３線のうちの第２の電線に流れる電流の大きさと正負の向きを検出するための第２の電流センサと、前記電力系統の第１の電線−第２の電線間、第１の電線−第３の電線間、第２の電線−第３の電線間のいずれか一つと切替手段を介して接続される電力負荷と、前記第１の電線−第２の電線間、前記第１の電線−第３の電線間、前記第２の電線−第３の電線間のいずれか一つに前記電力負荷を接続するように前記切替手段を切り替えると共に前記切替手段により前記電力負荷を前記第１の電線−第３の電線間に接続する直前と直後の前記第１、第２の電流センサが検出する電流値の変化量と前記切替手段により前記電力負荷を前記第２の電線−第３の電線間に接続する直前と直後の前記第１、第２の電流センサが検出する電流値の変化量とに基づいて前記第１、第２の電流センサの状態を判定する制御手段とを備えたのである。
【００１２】
上記構成において、第１の電流センサが第１の電線に正しく取り付けられている場合に、電力負荷を電力系統の第１の電線−第３の電線間に接続する直前と直後で第１の電流センサが検出する電流値の変化量が正の所定範囲から外れた値になり且つ電力負荷を電力系統の第２の電線−第３の電線間に接続する直前と直後で第１の電流センサが検出する電流値の変化量が所定範囲内の値になり、第２の電流センサが第２の電線に正しく取り付けられている場合に、電力負荷を電力系統の第２の電線−第３の電線間に接続する直前と直後で第２の電流センサが検出する電流値の変化量が正の所定範囲から外れた値になり且つ電力負荷を電力系統の第１の電線−第３の電線間に接続する直前と直後で第２の電流センサが検出する電流値の変化量が所定範囲内の値になるのを利用して、電力負荷を第１の電線−第３の電線間に接続する直前と直後の第１、第２の電流センサが検出する電流値の変化量と、電力負荷を第２の電線−第３の電線間に接続する直前と直後の第１、第２の電流センサが検出する電流値の変化量とに基づいて、第１、第２の電流センサの状態（逆向き取付、誤って別の電線に取付、故障または断線または取付不良のいずれかの可能性がある異常）を判定することができる。
【００１３】
また、予め分散型発電装置に備わった電力負荷と、電流センサの取付状態を判定するための電力負荷とを一つの電力負荷で共用することで、機器の簡素化、低コスト化を実現することができる。
【発明の効果】
【００１４】
本発明の分散型発電装置は、電力負荷を第１の電線−第３の電線間に接続する直前と直後の第１、第２の電流センサが検出する電流値の変化量と、電力負荷を第２の電線−第３の電線間に接続する直前と直後の第１、第２の電流センサが検出する電流値の変化量とに基づいて、第１、第２の電流センサの状態（逆向き取付、誤って別の電線に取付、故障または断線または取付不良のいずれかの可能性がある異常）を判定することができる。
【００１５】
また、予め分散型発電装置に備わった電力負荷と、電流センサの取付状態を判定するための電力負荷とを一つの電力負荷で共用することで、機器の簡素化、低コスト化を実現することができる。
【図面の簡単な説明】
【００１６】
【図１】本発明の実施の形態１における分散型発電装置のブロック図
【図２】同実施の形態の分散型発電装置における電流センサの取付状態の判定の流れを示すフローチャート
【図３】本発明の実施の形態２における分散型発電装置のブロック図
【図４】従来の分散型発電装置のブロック図
【発明を実施するための形態】
【００１７】
第１の発明は、発電機が生成した直流電力を交流電力に変換して単相３線式の電力系統と連系する分散型発電装置であって、前記電力系統と前記分散型発電装置の連系点において第１の電線から第３の電線の３線のうちの第１の電線に流れる電流の大きさと正負の向きを検出するための第１の電流センサと、前記連系点において前記３線のうちの第２の電線に流れる電流の大きさと正負の向きを検出するための第２の電流センサと、前記発電機、前記電力系統の第１の電線−第３の電線間、第２の電線−第３の電線間のいずれか一つと切替手段を介して接続される電力負荷と、前記発電機、前記第１の電線−第３の電線間、前記第２の電線−第３の電線間のいずれか一つに前記電力負荷を接続するように前記切替手段を切り替えると共に前記切替手段により前記電力負荷を前記第１の電線−第３の電線間に接続する直前と直後の前記第１、第２の電流センサが検出する電流値の変化量と前記切替手段により前記電力負荷を前記第２の電線−第３の電線間に接続する直前と直後の前記第１、第２の電流センサが検出する電流値の変化量とに基づいて前記第１、第２の電流センサの状態を判定する制御手段とを備えた分散型発電装置である。
【００１８】
上記構成において、第１の電流センサが第１の電線に正しく取り付けられている場合に、電力負荷を電力系統の第１の電線−第３の電線間に接続する直前と直後で第１の電流センサが検出する電流値の変化量が正の所定範囲から外れた値になり且つ電力負荷を電力系統の第２の電線−第３の電線間に接続する直前と直後で第１の電流センサが検出する電流値の変化量が所定範囲内の値になり、第２の電流センサが第２の電線に正しく取り付けられている場合に、電力負荷を電力系統の第２の電線−第３の電線間に接続する直前と直後で第２の電流センサが検出する電流値の変化量が正の所定範囲から外れた値になり且つ電力負荷を電力系統の第１の電線−第３の電線間に接続する直前と直後で第２の電流センサが検出する電流値の変化量が所定範囲内の値になる。
【００１９】
もし、第１の電流センサが第１の電線に逆向きに取り付けられていれば、電力負荷を電力系統の第１の電線−第３の電線間に接続する直前と直後で第１の電流センサが検出する電流値の変化量が負の値になり、第２の電流センサが第２の電線に逆向きに取り付けられていれば、電力負荷を電力系統の第２の電線−第３の電線間に接続する直前と直後で第２の電流センサが検出する電流値の変化量が負の値になる。
【００２０】
もし、第１の電流センサが誤って第２の電線または第３の電線に取り付けられていれば、電力負荷を電力系統の第２の電線−第３の電線間に接続する直前と直後で第１の電流センサが検出する電流値の変化量が所定範囲から外れた値になり、第２の電流センサが誤って第１の電線または第３の電線に取り付けられていれば、電力負荷を電力系統の第１の電線−第３の電線間に接続する直前と直後で第２の電流センサが検出する電流値の変化量が所定範囲から外れた値になる。
【００２１】
もし、第１の電流センサが誤って第３の電線に取り付けられていれば、電力負荷を電力系統の第１の電線−第３の電線間に接続する直前と直後で第１の電流センサが検出する電流値の変化量と、電力負荷を電力系統の第２の電線−第３の電線間に接続する直前と直後で第１の電流センサが検出する電流値の変化量とが、共に所定範囲から外れた値になり、第２の電流センサが誤って第１の電線または第３の電線に取り付けられていれば、電力負荷を電力系統の第１の電線−第３の電線間に接続する直前と直後で第２の電流センサが検出する電流値の変化量と、電力負荷を電力系統の第２の電線−第３の電線間に接続する直前と直後で第２の電流センサが検出する電流値の変化量とが、共に所定範囲から外れた値になる。
【００２２】
もし、第１の電流センサが故障または断線または第１の電線に正しく取り付けられていない場合は、電力負荷を電力系統の第１の電線−第３の電線間に接続する直前と直後で第１の電流センサが検出する電流値の変化量が所定範囲内の値になり、第２の電流センサが故障または断線または第２の電線に正しく取り付けられていない場合は、電力負荷を電力系統の第２の電線−第３の電線間に接続する直前と直後で第２の電流センサが検出する電流値の変化量が所定範囲内の値になる。
【００２３】
したがって、電力負荷を第１の電線−第３の電線間に接続する直前と直後の第１、第２の電流センサが検出する電流値の変化量と、電力負荷を第２の電線−第３の電線間に接続する直前と直後の第１、第２の電流センサが検出する電流値の変化量とに基づいて、第１、第２の電流センサの状態（逆向き取付、誤って別の電線に取付、故障または断線または取付不良のいずれかの可能性がある異常）を判定することができる。
【００２４】
また、予め分散型発電装置に備わった電力負荷と、電流センサの取付状態を判定するための電力負荷とを一つの電力負荷で共用することで、機器の簡素化、低コスト化を実現することができる。
【００２５】
第２の発明は、発電機が生成した直流電力を交流電力に変換して単相３線式の電力系統と連系する分散型発電装置であって、前記電力系統と前記分散型発電装置の連系点において第１の電線から第３の電線の３線のうちの第１の電線に流れる電流の大きさと正負の向きを検出するための第１の電流センサと、前記連系点において前記３線のうちの第２の電線に流れる電流の大きさと正負の向きを検出するための第２の電流センサと、前記電力系統の第１の電線−第２の電線間、第１の電線−第３の電線間、第２の電線−第３の電線間のいずれか一つと切替手段を介して接続される電力負荷と、前記第１の電線−第２の電線間、前記第１の電線−第３の電線間、前記第２の電線−第３の電線間のいずれか一つに前記電力負荷を接続するように前記切替手段を切り替えると共に前記切替手段により前記電力負荷を前記第１の電線−第３の電線間に接続する直前と直後の前記第１、第２の電流センサが検出する電流値の変化量と前記切替手段により前記電力負荷を前記第２の電線−第３の電線間に接続する直前と直後の前記第１、第２の電流センサが検出する電流値の変化量とに基づいて前記第１、第２の電流センサの状態を判定する制御手段とを備えた分散型発電装置である。
【００２６】
上記構成において、第１の電流センサが第１の電線に正しく取り付けられている場合に、電力負荷を電力系統の第１の電線−第３の電線間に接続する直前と直後で第１の電流センサが検出する電流値の変化量が正の所定範囲から外れた値になり且つ電力負荷を電力系統の第２の電線−第３の電線間に接続する直前と直後で第１の電流センサが検出する電流値の変化量が所定範囲内の値になり、第２の電流センサが第２の電線に正しく取り付けられている場合に、電力負荷を電力系統の第２の電線−第３の電線間に接続する直前と直後で第２の電流センサが検出する電流値の変化量が正の所定範囲から外れた値になり且つ電力負荷を電力系統の第１の電線−第３の電線間に接続する直前と直後で第２の電流センサが検出する電流値の変化量が所定範囲内の値になる。
【００２７】
もし、第１の電流センサが第１の電線に逆向きに取り付けられていれば、電力負荷を電力系統の第１の電線−第３の電線間に接続する直前と直後で第１の電流センサが検出する電流値の変化量が負の値になり、第２の電流センサが第２の電線に逆向きに取り付けられていれば、電力負荷を電力系統の第２の電線−第３の電線間に接続する直前と直後で第２の電流センサが検出する電流値の変化量が負の値になる。
【００２８】
もし、第１の電流センサが誤って第２の電線または第３の電線に取り付けられていれば、電力負荷を電力系統の第２の電線−第３の電線間に接続する直前と直後で第１の電流センサが検出する電流値の変化量が所定範囲から外れた値になり、第２の電流センサが誤って第１の電線または第３の電線に取り付けられていれば、電力負荷を電力系統の第１の電線−第３の電線間に接続する直前と直後で第２の電流センサが検出する電流値の変化量が所定範囲から外れた値になる。
【００２９】
もし、第１の電流センサが誤って第３の電線に取り付けられていれば、電力負荷を電力系統の第１の電線−第３の電線間に接続する直前と直後で第１の電流センサが検出する電流値の変化量と、電力負荷を電力系統の第２の電線−第３の電線間に接続する直前と直後で第１の電流センサが検出する電流値の変化量とが、共に所定範囲から外れた値になり、第２の電流センサが誤って第１の電線または第３の電線に取り付けられていれば、電力負荷を電力系統の第１の電線−第３の電線間に接続する直前と直後で第２の電流センサが検出する電流値の変化量と、電力負荷を電力系統の第２の電線−第３の電線間に接続する直前と直後で第２の電流センサが検出する電流値の変化量とが、共に所定範囲から外れた値になる。
【００３０】
もし、第１の電流センサが故障または断線または第１の電線に正しく取り付けられていない場合は、電力負荷を電力系統の第１の電線−第３の電線間に接続する直前と直後で第１の電流センサが検出する電流値の変化量が所定範囲内の値になり、第２の電流センサが故障または断線または第２の電線に正しく取り付けられていない場合は、電力負荷を電力系統の第２の電線−第３の電線間に接続する直前と直後で第２の電流センサが検出する電流値の変化量が所定範囲内の値になる。
【００３１】
したがって、電力負荷を第１の電線−第３の電線間に接続する直前と直後の第１、第２の電流センサが検出する電流値の変化量と、電力負荷を第２の電線−第３の電線間に接続する直前と直後の第１、第２の電流センサが検出する電流値の変化量とに基づいて、第１、第２の電流センサの状態（逆向き取付、誤って別の電線に取付、故障または断線または取付不良のいずれかの可能性がある異常）を判定することができる。
【００３２】
また、予め分散型発電装置に備わった電力負荷と、電流センサの取付状態を判定するための電力負荷とを一つの電力負荷で共用することで、機器の簡素化、低コスト化を実現することができる。
【００３３】
第３の発明は、特に、第１また第２のいずれかの発明において、制御手段が、切替手段により電力負荷を電力系統の第１の電線−第３の電線間に接続する直前と直後で第１の電流センサが検出する電流値の変化量が負の場合には、前記第１の電流センサが逆向きに取り付けられている異常と判定し、前記切替手段により前記電力負荷を前記電力系統の第２の電線−第３の電線間に接続する直前と直後で第２の電流センサが検出する電流値の変化量が負の場合には、前記第２の電流センサが逆向きに取り付けられている異常と判定するものであり、電力系統または分散型発電装置が電力を供給する交流負荷の消費電力の大きさに関わらず、内部の電力負荷を用いて連系点に電流を流すことで、電流センサの取付方向を判定することができる。
【００３４】
第４の発明は、特に、第３の発明において、制御手段が、第１の電流センサが逆向きに取り付けられていると判定した後は、前記第１の電流センサが検出する電流の向きを示す正負を反転させ、第２の電流センサが逆向きに取り付けられていると判定した後は、前記第２の電流センサが検出する電流の向きを示す正負を反転させるものであり、電流センサの取付方向が逆向きになっている場合は、制御手段が、逆向きに取り付けられていると判定した後は、電流センサが検出する電流の向きを示す正負を反転させることにより、電流センサの取付方向を自動補正するので、誤って逆向きに取り付けられた電流センサを正しい向きに取付直す必要がない。
【００３５】
第５の発明は、特に、第１から第４のいずれかの発明において、制御手段が、切替手段により電力負荷を電力系統の第１の電線−第３の電線間に接続する直前と直後で第２の電流センサが検出する電流値の変化量が所定範囲から外れた場合には、前記第２の電流センサが誤って前記第１の電線または前記第３の電線に取り付けられている異常と判定し、前記切替手段により前記電力負荷を前記電力系統の第２の電線−第３の電線間に接続する直前と直後で第１の電流センサが検出する電流値の変化量が所定範囲から外れた場合には、前記第１の電流センサが誤って前記第２の電線または前記第３の電線に取り付けられている異常と判定するものである。ここで、電流センサが誤って第３の電線に取り付けられている可能性がない場合は、逆相の電線に取り付けられている異常と判定することができる。そのため、電力系統または分散型発電装置が電力を供給する交流負荷の消費電力の大きさに関わらず、内部の電力負荷を用いて連系点に電流を流すことで、電流センサの逆相への取付を検出することができる。
【００３６】
第６の発明は、特に、第１から第５のいずれかの発明において、制御手段が、切替手段により電力負荷を電力系統の第１の電線−第３の電線間に接続する直前と直後で第１の電流センサが検出する電流値の変化量が所定範囲内の場合には、前記第１の電流センサが故障または断線または前記第１の電線に正しく取り付けられていない可能性がある異常と判定し、前記切替手段により前記電力負荷を前記電力系統の第２の電線−第３の電線間に接続する直前と直後で第２の電流センサが検出する電流値の変化量が所定範囲内の場合には、前記第２の電流センサが故障または断線または前記第２の電線に正しく取り付けられていない可能性がある異常と判定するものであり、電力系統または分散型発電装置が電力を供給する交流負荷の消費電力の大きさに関わらず、内部の電力負荷を用いて連系点に電流を流すことで、電流センサの故障、不正規な位置への取付を検出することができる。
【００３７】
第７の発明は、特に、第１から第６のいずれかの発明に加えて、操作手段を備え、制御手段が、前記操作手段の操作指令により、切替手段の切替えを行って、第１、第２の電流センサの状態の判定を行うものであり、装置の施工・メンテ作業において、操作手段から操作指令がでる操作をすることになっていれば、電流センサの取付方向の補正、および故障、不正規な位置への取付の検出を自動で行うことになり、確認作業が容易となり、施工・メンテ作業をスムーズに行うことができる。
【００３８】
第８の発明は、特に、第１から第７のいずれかの発明に加えて、制御手段による第１、第２の電流センサの状態の判定結果を表示する表示手段を備えたものであり、第１、第２の電流センサの異常の有無の判定を制御手段が行った場合に、その結果を表示手段が表示するので、装置の施工・メンテ作業者は、電流センサの取付方向、故障、不正規な位置への取付の結果が容易に確認でき、施工・メンテ作業をスムーズに行うことができる。
【００３９】
以下、本発明の実施の形態について、図面を参照しながら説明する。なお、この実施の形態によって本発明が限定されるのもではない。
【００４０】
（実施の形態１）
以下に、本発明の実施の形態１における分散型発電装置について、図面を参照しながら詳細に説明する。図１は、本発明の実施の形態１における分散型発電装置のブロック図である。図２は、同実施の形態の分散型発電装置における電流センサの取付状態の判定の流れを示すフローチャートである。
【００４１】
図１には、電力系統１０１と、分散型発電装置１０２と、交流負荷１０４を図示している。ここで、電力系統１０１は、第１の電線１０１ａ、第２の電線１０１ｂ、第３の電線１０１ｃから成る単相３線式の交流電源であり、連系点１０３で電力系統１０１と分散型発電装置１０２は連系する。
【００４２】
交流負荷１０４は、一般家庭で使用されるテレビ、エアコン等などで、電力系統１０１または分散型発電装置１０２から供給される交流電力を消費する機器である。なお、以下では、第１の電線１０１ａをＵ相、第２の電線１０１ｂをＷ相、第３の電線１０１ｃを中性線であるＯ相と記して説明する。
【００４３】
そして、分散型発電装置１０２は、発電機１０５と、第１のＤＣＤＣコンバータ１０６と、インバータ１０７と、解列リレー１０８と、第２のＤＣＤＣコンバータ１０９と、電圧センサ１１０と、第１の電流センサ１１１ａと、第２の電流センサ１１１ｂと、切替手段１１２と、電力負荷１１３と、制御手段１１４と、操作手段１１５と、表示手段１１６から少なくとも構成される。
【００４４】
ここで、発電機１０５は、燃料電池などで直流電力を生成する。第１のＤＣＤＣコンバータ１０６は、絶縁トランスを含む構成を有し、発電機１０５が生成する直流電圧を変圧する。インバータ１０７は、第１のＤＣＤＣコンバータ１０６が出力する直流を交流負荷１０４で消費可能な交流へ変換する。解列リレー１０８は、開閉することで分散型発電装置１０２を電力系統１０１と連系／解列させる。第２のＤＣＤＣコンバータ１０９は、絶縁トランスを含む構成を有し、発電機１０５が生成する直流電圧を第１のＤＣＤＣコンバータ１０６と異なる直流電圧へ変圧する。
【００４５】
電圧センサ１１０は、電力系統１０１のＵ相１０１ａ−Ｏ相１０１ｃ間、Ｗ相１０１ｂ−Ｏ相１０１ｃ間の電圧を検出する。第１の電流センサ１１１ａ、第２の１１１ｂはカレントトランスなどで、電力系統１０１の電線に取付けられ、取付けられた位置に流れる電流の大きさおよび正負の方向を検出する（本実施の形態では、第１の電流センサ１１１ａをＵ相１０１ａの連系点１０３、第２の電流センサ１１１ｂをＷ相１０１ｂの連系点１０３に取付ける）。
【００４６】
電力負荷１１３はヒータなどで、切替手段１１２を介して第２のＤＣＤＣコンバータ１０９、電力系統１０１のＵ相１０１ａ−Ｏ相１０１ｃ間、Ｗ相１０１ｂ−Ｏ相１０１ｃ間のすべてと接続可能であり、切替手段１１２により、いずれか１つと接続されて電力を消費する。
【００４７】
切替手段１１２は３つのリレーで構成され、それぞれＯＮ状態のときに第１のリレー１１２ａは第２のＤＣＤＣコンバータ１０９を介して発電機１０５と電力負荷１１３、第２のリレー１１２ｂは電力系統１０１のＵ相１０１ａ−Ｏ相１０１ｃ間に電力負荷１１３、第３のリレー１１１ｃは電力系統１０１のＷ相１０１ｂ−Ｏ相１０１ｃ間に電力負荷１１３を接続し、制御手段１１４からの指令を基に、いずれか１つをＯＮすることで電力負荷１１３への電力を供給可能とする。
【００４８】
制御手段１１４は、図１に記載しない内蔵の不揮発性メモリを含む構成であり、電圧センサ１１０で検出される電圧値と電流センサ１１１で検出される電流値の積より算出される電力値を基に発電機１０５、第１のＤＣＤＣコンバータ１０６、インバータ１０７、第２のＤＣＤＣコンバータ１０９の出力、および解列リレー１０８、切替手段１１２のＯＮ／ＯＦＦを制御すると共に、切替手段１１２を用いて電力負荷１１３の接続を切り替えることで、第１の電流センサ１１１ａ、第２の電流センサ１１１ｂの故障、取付方向、取付位置の判定を行う。
【００４９】
操作手段１１５はタクトスイッチやメンブレンスイッチなどで、施工・メンテ作業者が所定の操作を行なう手段である。表示手段１１６はＬＣＤや７セグメントなどで、エラー表示、動作情報などの表示を行う手段である。
【００５０】
以上のように構成された本実施の形態の分散型発電装置１０２の動作および作用について、図１、図２を用いて説明する。
【００５１】
まず、施工・メンテ作業者は、分散型発電装置１０２の施工・メンテ時に第１の電流センサ１１１ａをＵ相１０１ａの連系点１０３、第２の電流センサ１１１ｂをＷ相１０１ｂの連系点１０３に取付け、制御手段１１４に出力信号線を接続する。このあと、これらの施工・メンテによる第１の電流センサ１１１ａ、第２の電流センサ１１１ｂの取付方向、取付位置、配線が正しく行われた否かを確認するため、操作手段１１５により所定の操作を行うことで取付状態の確認テストを行う。
【００５２】
ここで、第１の電流センサ１１１ａ、第２の電流センサ１１１ｂの取付状態の確認テストについて説明する。
【００５３】
制御手段１１４は、操作手段１１２より操作信号を受けると、取付状態の確認テストを開始する（ＳＴＥＰ１０１）。取付状態の確認テストでは、まず第１の電流センサ１１１ａの故障（本実施の形態では、第１の電流センサ１１１ａの信号線の断線も含む）、取付方向、Ｕ相１０１ａの連系点１０３に第１の電流センサ１１１ａが正しく取付けられている、および第２の電流センサ１１１ｂが誤って取付けられていないことを確認する。
【００５４】
確認方法の流れは、まず第１の電流センサ１１１ａ、第２の電流センサ１１１ｂが検出する電流値を取得する（ＳＴＥＰ１０２）。その後、第２のリレー１１２ｂをＯＮし、Ｕ相１０１ａ−Ｏ相１０１ｃ間に電力負荷１１３を接続することで、Ｕ相１０１ａの連系点１０３に電流を流す（ＳＴＥＰ１０３）。
【００５５】
このとき、第１の電流センサ１１１ａ、第２の電流センサ１１１ｂが検出する電流値を再び取得し、ＳＴＥＰ１０２で取得した電流値からの変化量（本実施の形態では、第１の電流センサ１１１ａの電流値の変化量をΔＩ１、第２の電流センサ１１１ｂの電流値の変化量をΔＩ２とする）を算出する（ＳＴＥＰ１０４，１０５）。そして、第２のリレー１１２ｂをＯＦＦする（ＳＴＥＰ１０６）。
【００５６】
第２のリレー１１２ｂをＯＮ／ＯＦＦした際、第１の電流センサ１１１ａが故障なく、正しい位置、つまりＵ相１０１ａの連系点１０３に取付けられていれば、電力負荷１１３が消費した電力分だけ第１の電流センサ１１１ａが検出する電流値が変化する。一方、故障、または誤った位置に取付けられていれば、電流値が変化しない。
【００５７】
したがって、第１の電流センサ１１１ａの電流値の変化量が所定値以内の場合（本実施の形態では、例えば±１Ａ以内）、第１の電流センサ１１１ａが故障、またはＵ相１０１ａの連系点１０３とは異なる電線上（例えば、Ｗ相１０１ｂの連系点１０３や、電力系統１０１と交流負荷１０４の接続点）に取付けられていると判定し、内蔵の不揮発性メモリに異常情報として記憶する（ＳＴＥＰ１０７，１０８）。
【００５８】
さらに正しい位置に取付けられていると判定した場合は、第１の電流センサ１１１ａの電流値の変化量が所定値以下の場合（本実施の形態では、−１Ａ未満）、取付方向が逆と判定し、内蔵の不揮発性メモリに記憶する取付方向の正負を反転させると共に、それ以降、第１の電流センサ１１１ａが検出する電流値の符号を反転補正する（ＳＴＥＰ１０９，１１０）。
【００５９】
また、第２のリレー１１２ｂをＯＮ／ＯＦＦした際、第２の電流センサ１１１ｂが誤ってＵ相１０１ａの連系点１０３に取付けられていれば、電力負荷１１３が消費した電力分だけ第２の電流センサ１１１ｂの電流値が変化する。
【００６０】
したがって、第２の電流センサ１１１ｂの電流値の変化量が所定範囲外の場合（本実施の形態では、±１Ａ以外）、第２の電流センサ１１１ｂが誤ってＵ相１０１ａの連系点１０３に取付けられていると判定し、内蔵のメモリに異常情報として記憶する（ＳＴＥＰ１１１，１１２）。
【００６１】
次に第２の電流センサ１１１ｂの取付方向、およびＷ相１０１ｂの連系点１０３に第２の電流センサ１１１ｂが正しく取付けられている、および第１の電流センサ１１１ａが誤って取付けられていないことを確認する。
【００６２】
確認方法の流れは、まず第１の電流センサ１１１ａ、第２の電流センサ１１１ｂが検出する電流値を取得する（ＳＴＥＰ１１３）。その後、第３のリレー１１２ｃをＯＮし、Ｗ相１０１ｂ−Ｏ相１０１ｃ間に電力負荷１１３を接続することで、Ｗ相１０１ｂの連系点１０３に電流を流す（ＳＴＥＰ１１４）。
【００６３】
このとき、第１の電流センサ１１１ａ、第２の電流センサ１１１ｂが検出する電流値を再び取得し、ＳＴＥＰ１１３で取得した電流値からの変化量（本実施の形態では、第１の電流センサ１１１ａの電流値の変化量をΔＩ３、第２の電流センサ１１１ｂの電流値の変化量をΔＩ４とする）を算出する（ＳＴＥＰ１１５，１１６）。そして、第３のリレー１１２ｃをＯＦＦする（ＳＴＥＰ１１８）。
【００６４】
第３のリレー１１２ｃをＯＮ／ＯＦＦした際、第２の電流センサ１１１ｂが故障なく、正しい位置、つまりＷ相１０１ｂの連系点１０３に取付けられていれば、電力負荷１１３が消費した電力分だけ第２の電流センサ１１１ｂが検出する電流値が変化する。一方、故障、または誤った位置に取付けられていれば、電流値が変動しない。
【００６５】
したがって、第２の電流センサ１１１ｂの電流値の変化量が所定値以内の場合（本実施の形態では、例えば±１Ａ以内）、第２の電流センサ１１１ｂが故障、またはＷ相１０１ｂの連系点１０３とは異なる電線上（例えば、Ｕ相１０１ａの連系点１０３や、電力系統１０１と交流負荷１０４の接続点）に取付けられていると判定し、内蔵の不揮発性メモリに異常情報として記憶する（ＳＴＥＰ１１８，１１９）。
【００６６】
さらに正しい位置に取付けられていると判定した場合は、第２の電流センサ１１１ｂの電流値の変化量が所定値以下の場合（本実施の形態では、−１Ａ未満）、取付方向が逆と判定し、内蔵の不揮発性メモリに記憶する取付方向の正負を反転させると共に、それ以降、第２の電流センサ１１１ｂが検出する電流値の符号を反転補正する（ＳＴＥＰ１２０〜１２１）。
【００６７】
また、第３のリレー１１２ｃをＯＮ／ＯＦＦした際、第１の電流センサ１１１ａが誤ってＷ相１０１ｂの連系点１０３に取付けられていれば、電力負荷１１３が消費した電力分だけ第１の電流センサ１１１ａの電流値が変化する。
【００６８】
したがって、第１の電流センサ１１１ａの電流値の変化量が所定範囲外の場合（本実施の形態では、±１Ａ以外）、第１の電流センサ１１１ａが誤ってＷ相１０１ｂの連系点１０３に取付けられていると判定し、内蔵のメモリに異常情報として記憶する（ＳＴＥＰ１２２，１２３）。
【００６９】
そして、最後にＳＴＥＰ１０２〜ＳＴＥＰ１２５が終了後、内蔵の不揮発性メモリに異常情報が記憶されていなければ、表示手段１１６に正常と表示、異常情報が記憶されていれば、その情報を表示手段１１６に表示する（ＳＴＥＰ１２４〜１２６）。
【００７０】
施工・メンテ者は、取付状態の確認テスト操作後、表示手段１１６への結果表示により取付状態の確認テストが終了したこと判断する。このとき、表示手段１１６に表示された結果が異常情報である場合、その内容により取付け状態の修正作業を行う。作業完了時には、再度第１の電流センサ１１１ａ、第２の電流センサ１１１ｂの取付状態の確認テストを行い、正常な取付け状態を確認するまで上記作業を繰り返す。
【００７１】
次に、分散型発電装置１０２の施工・メンテの正常動作確認完了後の通常運転について説明する。
【００７２】
通常運転において制御手段１１４は、発電機１０５の発電電力を第１のＤＣＤＣコンバータ１０６で変圧、インバータ１０７で電力系統１０１に同期した交流電力へ変換し、解列リレー１０８を閉状態にして電力系統１０１と連系し、交流負荷１０４へ電力を供給する。
【００７３】
電力供給中、制御手段１１４は、電圧センサ１１０が検出する電圧値と第１の電流センサ１１１ａ、第２の電流センサ１１１ｂが検出する電流値の積より連系点１０３の電力を算出する。その算出する電力が負、つまり逆潮流が発生した場合には、切替手段１１２の第１のリレー１１２ａをＯＮすると共に、逆潮流している電力、つまり余剰電力を算出し、第２のＤＣＤＣコンバータ１０９の出力電力を調節して、切替手段１１２の第１のリレー１１２ａを介して余剰電力を電力負荷１１３に直流電力として消費させる。
【００７４】
一方で、発電機１０５の発電電力を第１の電流センサ１１１ａ、第２の電流センサ１１１ｂによる電力系統１０１側への逆潮流が無くなるまで低下させるように制御する。
【００７５】
これにより、第１の電流センサ１１１ａ、第２の電流センサ１１１ｂの取付状態の確認、および通常運転時の余剰電力処理が切替手段１１２を介して一つの電力負荷１１３により行うことが可能となる。
【００７６】
なお、本実施の形態では、施工・メンテ者の操作により取付状態の確認を行ったが、施工・メンテナンス後、定期的に、例えば、電源投入時や、発電直前後、連系直前後、第１の電流センサ１１１ａ、第２の電流センサ１１１ｂの電流値の変動が小さいとき、所定時間などに判定を行い、取付状態に異常があった場合には、表示手段１１６を用いてユーザーに警告を行ってもかまわない。これにより、施工・メンテ後の第１の電流センサ１１１ａ、第２の電流センサ１１１ｂの取付方向の修正、故障、取付位置の移動などを検出することができる。
【００７７】
また、本実施の形態では、切替手段１１２の第２のリレー１１２ｂ、第３のリレー１１２ｃをＯＮ／ＯＦＦした際の第１の電流センサ１１１ａ、第２の電流センサ１１１ｂが検出する電流値の変化量を基に取付状態の判定を行ったが、電流値が限りなく０に近い場合、電流値の変化量でなく、切替手段１１２の第２のリレー１１２ｂ、第３のリレー１１２ｃをＯＮした際に検出される電流値の絶対値を基に判定を行ってもかまわない。
【００７８】
また、本実施の形態では、余剰電力処理の際には発電機１０５から第２のＤＣＤＣコンバータ１０９、切替手段１１２を介して電力負荷１１３へ電力を供給したが、インバータ１０７の直前に第２のＤＣＤＣコンバータ１０９を接続し、電力負荷１１３へ電力を供給してもかまわない。これにより、燃料電のように発電機１０５の出力電圧が低電圧の場合、昇圧段数を減らすことで効率を向上させることができる。
【００７９】
また、本実施の形態では、余剰電力処理と第１の電流センサ１１１ａ、第２の電流センサ１１１ｂの取付状態の確認を電力負荷１１３で共用したが、例えば燃料電池などにおけるブロワー類、ポンプ類、その他ヒータ類（例えば、凍結予防ヒータ、選択酸化変成ヒータなど）などの装置を駆動するための電力負荷と、第１の電流センサ１１１ａ、第２の電流センサ１１１ｂの取付状態を確認するための１つの電力負荷で共用してもかまわない。
【００８０】
以上のように、本実施の形態においては、切替手段１１２を介して第２のＤＣＤＣコンバータ１０９、または電力系統１０１のＵ相１０１ａ−Ｏ相１０１ｃ間、またはＷ相１０１ｂ−Ｏ相１０１ｃ間と接続される電力負荷１０１を備え、制御手段１１４は、切替手段１１２で電力負荷１１３の接続をＵ相１０１ａ−Ｏ相１０１ｃ間またはＷ相１０１ｂ−Ｏ相１０１ｃ間に切替えると共に第１の電流センサ１１１ａ、第２の電流センサ１１１ｂの検出結果を基に第１の電流センサ１１１ａ、第２の電流センサ１１１ｂの状態を判定するため、第１の電流センサ１１１ａ、第２の電流センサ１１１ｂの取付方向の自動補正、および故障、不正規な位置への取付けを検出することができると共に、予め装置に備わった電力負荷と、第１の電流センサ１１１ａ、第２の電流センサ１１１ｂの取付状態を判定するための交流電力負荷とを一つの電力負荷１１３で共用することで機器の簡素化、低コスト化を実現することができる。
【００８１】
また、本実施の形態においては、電力系統１０１または分散型発電装置１０２が電力を供給する交流負荷１０４の消費電力の大きさに関わらず電力負荷１１３を用いて連系点に電流を流すことで、第１の電流センサ１１１ａ、第２の電流センサ１１１ｂの取付方向の自動補正、および故障、逆相への取付け、不正規な位置への取付けを検出することができる。
【００８２】
また、本実施の形態では、操作手段１１５、表示手段１１６を備えることで、装置の施工・メンテ作業において、第１の電流センサ１１１ａ、第２の電流センサ１１１ｂの取付方向の自動補正、故障、取付位置の確認作業、および取付結果の確認が容易となり、施工・メンテ作業をスムーズに行うことができる。
【００８３】
以上のように、本実施の形態の分散型発電装置１０２は、発電機１０５が生成した直流電力を交流電力に変換して第１の電線（Ｕ相）１０１ａ、第２の電線（Ｗ相）１０１ｂ、第３の電線（Ｏ相）１０１ｃから成る単相３線式の電力系統１０１と連系する分散型発電装置１０２であって、電力系統１０１と分散型発電装置１０２の連系点１０３において第１の電線（Ｕ相）１０１ａ、第２の電線（Ｗ相）１０１ｂ、第３の電線（Ｏ相）１０１ｃの３線のうちの第１の電線（Ｕ相）１０１ａに流れる電流の大きさと正負の向きを検出するための第１の電流センサ１１１ａと、連系点１０３において第１の電線（Ｕ相）１０１ａ、第２の電線（Ｗ相）１０１ｂ、第３の電線（Ｏ相）１０１ｃの３線のうちの第２の電線（Ｗ相）１０１ｂに流れる電流の大きさと正負の向きを検出するための第２の電流センサ１１１ｂと、発電機１０５、電力系統１０１の第１の電線（Ｕ相）１０１ａ−第３の電線（Ｏ相）１０１ｃ間、第２の電線（Ｗ相）１０１ｂ−第３の電線（Ｏ相）１０１ｃ間のいずれか一つと切替手段１１２を介して接続される電力負荷１１３と、発電機１０５、第１の電線（Ｕ相）１０１ａ−第３の電線（Ｏ相）１０１ｃ間、第２の電線（Ｗ相）１０１ｂ−第３の電線（Ｏ相）１０１ｃ間のいずれか一つに電力負荷１１３を接続するように切替手段１１２を切り替えると共に、切替手段１１２により電力負荷１１３を第１の電線（Ｕ相）１０１ａ−第３の電線（Ｏ相）１０１ｃ間に接続する直前と直後の第１の電流センサ１１１ａ及び第２の電流センサ１１１ｂが検出する電流値の変化量と、切替手段１１２により電力負荷１１３を第２の電線（Ｗ相）１０１ｂ−第３の電線（Ｏ相）１０１ｃ間に接続する直前と直後の第１の電流センサ１１１ａ及び第２の電流センサ１１１ｂが検出する電流値の変化量とに基づいて、第１の電流センサ１１１ａ及び第２の電流センサ１１１ｂの状態を判定する制御手段１１４とを備えている。
【００８４】
上記構成において、第１の電流センサ１１１ａが第１の電線（Ｕ相）１０１ａに正しく取り付けられている場合に、電力負荷１１３を電力系統１０１の第１の電線（Ｕ相）１０１ａ−第３の電線（Ｏ相）１０１ｃ間に接続する直前と直後で第１の電流センサ１１１ａが検出する電流値の変化量が正の所定範囲から外れた値になり且つ電力負荷１１３を電力系統１０１の第２の電線（Ｗ相）１０１ｂ−第３の電線（Ｏ相）１０１ｃ間に接続する直前と直後で第１の電流センサ１１１ａが検出する電流値の変化量が所定範囲内の値になり、第２の電流センサ１１１ｂが第２の電線（Ｗ相）１０１ｂに正しく取り付けられている場合に、電力負荷１１３を電力系統１０１の第２の電線（Ｗ相）１０１ｂ−第３の電線（Ｏ相）１０１ｃ間に接続する直前と直後で第２の電流センサ１１１ｂが検出する電流値の変化量が正の所定範囲から外れた値になり且つ電力負荷１１３を電力系統１０１の第１の電線（Ｕ相）１０１ａ−第３の電線（Ｏ相）１０１ｃ間に接続する直前と直後で第２の電流センサ１１１ｂが検出する電流値の変化量が所定範囲内の値になる。
【００８５】
もし、第１の電流センサ１１１ａが第１の電線（Ｕ相）１０１ａに逆向きに取り付けられていれば、電力負荷１１３を電力系統１０１の第１の電線（Ｕ相）１０１ａ−第３の電線（Ｏ相）１０１ｃ間に接続する直前と直後で第１の電流センサ１１１ａが検出する電流値の変化量が負の値になり、第２の電流センサ１１１ｂが第２の電線（Ｗ相）１０１ｂに逆向きに取り付けられていれば、電力負荷１１３を電力系統１０１の第２の電線（Ｗ相）１０１ｂ−第３の電線（Ｏ相）１０１ｃ間に接続する直前と直後で第２の電流センサ１１１ｂが検出する電流値の変化量が負の値になる。
【００８６】
もし、第１の電流センサ１１１ａが誤って第２の電線（Ｗ相）１０１ｂまたは第３の電線（Ｏ相）１０１ｃに取り付けられていれば、電力負荷１１３を電力系統１０１の第２の電線（Ｗ相）１０１ｂ−第３の電線（Ｏ相）１０１ｃ間に接続する直前と直後で第１の電流センサ１１１ａが検出する電流値の変化量が所定範囲から外れた値になり、第２の電流センサ１１１ｂが誤って第１の電線（Ｕ相）１０１ａまたは第３の電線（Ｏ相）１０１ｃに取り付けられていれば、電力負荷１１３を電力系統１０１の第１の電線（Ｕ相）１０１ａ−第３の電線（Ｏ相）１０１ｃ間に接続する直前と直後で第２の電流センサ１１１ｂが検出する電流値の変化量が所定範囲から外れた値になる。
【００８７】
もし、第１の電流センサ１１１ａが誤って第３の電線（Ｏ相）１０１ｃに取り付けられていれば、電力負荷１１３を電力系統１０１の第１の電線（Ｕ相）１０１ａ−第３の電線（Ｏ相）１０１ｃ間に接続する直前と直後で第１の電流センサ１１１ａが検出する電流値の変化量と、電力負荷１１３を電力系統１０１の第２の電線（Ｗ相）１０１ｂ−第３の電線（Ｏ相）１０１ｃ間に接続する直前と直後で第１の電流センサ１１１ａが検出する電流値の変化量とが、共に所定範囲から外れた値になり、第２の電流センサ１１１ｂが誤って第３の電線（Ｏ相）１０１ｃに取り付けられていれば、電力負荷１１３を電力系統１０１の第１の電線（Ｕ相）１０１ａ−第３の電線（Ｏ相）１０１ｃ間に接続する直前と直後で第２の電流センサ１１１ｂが検出する電流値の変化量と、電力負荷１１３を電力系統１０１の第２の電線（Ｗ相）１０１ｂ−第３の電線（Ｏ相）１０１ｃ間に接続する直前と直後で第２の電流センサ１１１ｂが検出する電流値の変化量とが、共に所定範囲から外れた値になる。
【００８８】
もし、第１の電流センサ１１１ａが故障または断線または第１の電線（Ｕ相）１０１ａに正しく取り付けられていない場合は、電力負荷１１３を電力系統１０１の第１の電線（Ｕ相）１０１ａ−第３の電線（Ｏ相）１０１ｃ間に接続する直前と直後で第１の電流センサ１１１ａが検出する電流値の変化量が所定範囲内の値になり、第２の電流センサ１１１ｂが故障または断線または第２の電線（Ｗ相）１０１ｂに正しく取り付けられていない場合は、電力負荷１１３を電力系統１０１の第２の電線（Ｗ相）１０１ｂ−第３の電線（Ｏ相）１０１ｃ間に接続する直前と直後で第２の電流センサ１１１ｂが検出する電流値の変化量が所定範囲内の値になる。
【００８９】
したがって、電力負荷１１３を第１の電線（Ｕ相）１０１ａ−第３の電線（Ｏ相）１０１ｃ間に接続する直前と直後の第１の電流センサ１１１ａ及び第２の電流センサ１１１ｂが検出する電流値の変化量と、電力負荷１１３を第２の電線（Ｗ相）１０１ｂ−第３の電線（Ｏ相）１０１ｃ間に接続する直前と直後の第１の電流センサ１１１ａ及び第２の電流センサ１１１ｂが検出する電流値の変化量とに基づいて、第１の電流センサ１１１ａ及び第２の電流センサ１１１ｂのそれぞれの状態（逆向き取付、誤って別の電線に取付、故障または断線または取付不良のいずれかの可能性がある異常）を判定することができる。
【００９０】
また、予め分散型発電装置１０２に備わった電力負荷と、電流センサ１１１ａ，１１１ｂの取付状態を判定するための電力負荷とを一つの電力負荷１１３で共用することで、機器の簡素化、低コスト化を実現することができる。
【００９１】
また、本実施の形態の分散型発電装置１０２は、制御手段１１４が、切替手段１１２により電力負荷１１３を電力系統１０１の第１の電線（Ｕ相）１０１ａ−第３の電線（Ｏ相）１０１ｃ間に接続する直前と直後で第１の電流センサ１１１ａが検出する電流値の変化量が負の場合には、第１の電流センサ１１１ａが逆向きに取り付けられている異常と判定し、その判定後は、第１の電流センサ１１１ａが検出する電流の向きを示す正負を反転させる。また、制御手段１１４が、切替手段１１２により電力負荷１１３を電力系統１０１の第２の電線（Ｗ相）１０１ｂ−第３の電線（Ｏ相）１０１ｃ間に接続する直前と直後で第２の電流センサ１１１ｂが検出する電流値の変化量が負の場合には、第２の電流センサ１１１ｂが逆向きに取り付けられている異常と判定し、その判定後は、第２の電流センサ１１１ｂが検出する電流の向きを示す正負を反転させる。このように電流センサ１１１ａ，１１１ｂの取付方向が逆向きになっている場合は、制御手段１１４が、逆向きに取り付けられていると判定した後は、電流センサ１１１ａ，１１１ｂが検出する電流の向きを示す正負を反転させることにより、電流センサ１１１ａ，１１１ｂの取付方向を自動補正するので、誤って逆向きに取り付けられた電流センサ１１１ａ，１１１ｂを正しい向きに取付直す必要がない。
【００９２】
また、本実施の形態の分散型発電装置１０２は、制御手段１１４が、切替手段１１２により電力負荷１１３を電力系統１０１の第１の電線（Ｕ相）１０１ａ−第３の電線（Ｏ相）１０１ｃ間に接続する直前と直後で第２の電流センサ１１１ｂが検出する電流値の変化量が所定範囲から外れた場合には、第２の電流センサ１１１ｂが誤って第１の電線（Ｕ相）１０１ａまたは第３の電線（Ｏ相）１０１ｃに取り付けられている異常と判定し、切替手段１１２により電力負荷１１３を電力系統１０１の第２の電線（Ｗ相）１０１ｂ−第３の電線（Ｏ相）１０１ｃ間に接続する直前と直後で第１の電流センサ１１１ａが検出する電流値の変化量が所定範囲から外れた場合には、第１の電流センサ１１１ａが誤って第２の電線（Ｗ相）１０１ｂまたは第３の電線（Ｏ相）１０１ｃに取り付けられている異常と判定する。ここで、電流センサ１１１ａ，１１１ｂが誤って第３の電線（Ｏ相）１０１ｃに取り付けられている可能性がない場合は、逆相の電線に取り付けられている異常と判定することができる。
【００９３】
また、本実施の形態の分散型発電装置１０２は、制御手段１１４が、切替手段１１２により電力負荷１１３を電力系統１０１の第１の電線（Ｕ相）１０１ａ−第３の電線（Ｏ相）１０１ｃ間に接続する直前と直後で第１の電流センサ１１１ａが検出する電流値の変化量が所定範囲内の場合には、第１の電流センサ１１１ａが故障または断線または第１の電線（Ｕ相）１０１ａに正しく取り付けられていない可能性がある異常と判定し、切替手段１１２により電力負荷１１３を電力系統１０１の第２の電線（Ｗ相）１０１ｂ−第３の電線（Ｏ相）１０１ｃ間に接続する直前と直後で第２の電流センサ１１１ｂが検出する電流値の変化量が所定範囲内の場合には、第２の電流センサ１１１ｂが故障または断線または第２の電線（Ｗ相）１０１ｂに正しく取り付けられていない可能性がある異常と判定する。
【００９４】
また、本実施の形態の分散型発電装置１０２は、操作手段１１５を備え、制御手段１１４が、操作手段１１５の操作指令により、切替手段１１２の切替えを行って、第１の電流センサ１１１ａ及び第２の電流センサ１１１ｂの状態の判定を行うよう構成したので、分散型発電装置１０２の施工・メンテ作業において、操作手段１１５から操作指令がでる操作をすることになっていれば、第１の電流センサ１１１ａ及び第２の電流センサ１１１ｂの取付方向の補正、および故障、不正規な位置への取付の検出を自動で行うことになり、確認作業が容易となり、施工・メンテ作業をスムーズに行うことができる。
【００９５】
また、本実施の形態の分散型発電装置１０２は、制御手段１１４による第１の電流センサ１１１ａ及び第２の電流センサ１１１ｂの状態の判定結果を表示する表示手段１１６を備えており、第１の電流センサ１１１ａ及び第２の電流センサ１１１ｂの異常の有無の判定を制御手段１１４が行った場合に、その結果を表示手段１１６が表示するので、分散型発電装置１０２の施工・メンテ作業者は、第１の電流センサ１１１ａ及び第２の電流センサ１１１ｂの取付方向、故障、不正規な位置への取付の結果が容易に確認でき、施工・メンテ作業をスムーズに行うことができる。
【００９６】
（実施の形態２）
以下に、本発明の実施の形態２における分散型発電装置について、図面を用いて説明する。なお、実施の形態１の分散型発電装置１０２と同一構成については、同一符号を付して、その詳細な説明は省略する。図３は、本発明の実施の形態２における分散型発電装置のブロック図である。
【００９７】
ここで、図３に示す本実施の形態の分散型発電装置１０２は、図１に示す実施の形態１の分散型発電装置１０２の構成とは、電力負荷１１３が切替手段１１２の第１のリレー１１２ａを介してＵ相１０１ａ−Ｗ相１０１ｂ間に接続される点が異なる。
【００９８】
以下に、本実施の形態の分散型発電装置１０２の動作について、図３を用いて説明する。
【００９９】
施工・メンテ時の第１の電流センサ１１１ａ、第２の電流センサ１１１ｂの取付状態の確認は、本実施の形態１と同じであるため説明を省略し、分散型発電装置１０２の施工・メンテの正常動作確認完了後の通常運転について説明する。
【０１００】
通常運転において、制御手段１１４は、通常運転中に逆潮流が発生した場合には、切替手段１１２の第１のリレー１１２ａをＯＮし、第２のＤＣＤＣコンバータ１０９を介して交流電力を電力負荷１１３へ供給するように切り替える。このとき、電圧センサ１１０の電圧値と電流センサ１１１の電流値の積より逆潮流している電力、つまり余剰電力を算出し、第２のＤＣＤＣコンバータ１０９の出力電力を調節して、切替手段１１２の第１のリレー１１２ａを介して余剰電力を電力負荷１１３に消費させる。
【０１０１】
一方、逆潮流が発生していない場合、切替手段１１２の第１のリレー１１２ａをＯＦＦする。そして、所定時間周期（例えば、３時間）ごとに第２のリレー１１２ｂ、第３のリレー１１２ｃをＯＮすることで、連系点１０３における電流の流れを変化させ、第１の電流センサ１１１ａ、第２の電流センサ１１１ｂの故障、取付方向、取付位置の判定を行う。
【０１０２】
これにより、第１の電流センサ１１１ａ、第２の電流センサ１１１ｂの取付状態の確認、および通常運転時の余剰電力処理が切替手段１１２を介して一つの電力負荷１１３により行うことが可能となる。
【０１０３】
なお、第１の電流センサ１１１ａ、第２の電流センサ１１１ｂの取付状態の判定方法については、施工・メンテ時の取付状態の確認のテストと同様の流れであるため、説明を省略する。
【０１０４】
以上のように、本実施の形態においては、切替手段１１２を介して電力系統１０１のＵ相１０１ａ−Ｏ相１０１ｃ間、またはＷ相１０１ｂ−Ｏ相１０１ｃ間、またはＵ相１０１ａ−Ｗ相１０１ｂ間と接続される電力負荷１０１を備え、制御手段１１４は、切替手段１１２で電力負荷１１３の接続をＵ相１０１ａ−Ｏ相１０１ｃ間またはＷ相１０１ｂ−Ｏ相１０１ｃ間に切替えると共に第１の電流センサ１１１ａ、第２の電流センサ１１１ｂの検出結果を基に第１の電流センサ１１１ａ、第２の電流センサ１１１ｂの状態を判定するため、第１の電流センサ１１１ａ、第２の電流センサ１１１ｂの取付方向の自動補正、および故障、不正規な位置への取付けを検出することができると共に、予め装置に備わった電力負荷と、第１の電流センサ１１１ａ、第２の電流センサ１１１ｂの取付状態を判定するための交流電力負荷とを一つの電力負荷１１３で共用することで機器の簡素化、低コスト化を実現することができる。
【０１０５】
以上のように、本実施の形態の分散型発電装置１０２は、発電機１０５が生成した直流電力を交流電力に変換して第１の電線（Ｕ相）１０１ａ、第２の電線（Ｗ相）１０１ｂ、第３の電線（Ｏ相）１０１ｃから成る単相３線式の電力系統１０１と連系する分散型発電装置１０２であって、電力系統１０１と分散型発電装置１０２の連系点１０３において第１の電線（Ｕ相）１０１ａ、第２の電線（Ｗ相）１０１ｂ、第３の電線（Ｏ相）１０１ｃの３線のうちの第１の電線（Ｕ相）１０１ａに流れる電流の大きさと正負の向きを検出するための第１の電流センサ１１１ａと、連系点１０３において第１の電線（Ｕ相）１０１ａ、第２の電線（Ｗ相）１０１ｂ、第３の電線（Ｏ相）１０１ｃの３線のうちの第２の電線（Ｗ相）１０１ｂに流れる電流の大きさと正負の向きを検出するための第２の電流センサ１１１ｂと、電力系統１０１の第１の電線（Ｕ相）１０１ａ−第２の電線（Ｗ相）１０１ｂ間、第１の電線（Ｕ相）１０１ａ−第３の電線（Ｏ相）１０１ｃ間、第２の電線（Ｗ相）１０１ｂ−第３の電線（Ｏ相）１０１ｃ間のいずれか一つと切替手段１１２を介して接続される電力負荷１１３と、第１の電線（Ｕ相）１０１ａ−第２の電線（Ｗ相）１０１ｂ間、第１の電線（Ｕ相）１０１ａ−第３の電線（Ｏ相）１０１ｃ間、第２の電線（Ｗ相）１０１ｂ−第３の電線（Ｏ相）１０１ｃ間のいずれか一つに電力負荷１１３を接続するように切替手段１１２を切り替えると共に、切替手段１１２により電力負荷１１３を第１の電線（Ｕ相）１０１ａ−第３の電線（Ｏ相）１０１ｃ間に接続する直前と直後の第１の電流センサ１１１ａ及び第２の電流センサ１１１ｂが検出する電流値の変化量と、切替手段１１２により電力負荷１１３を第２の電線（Ｗ相）１０１ｂ−第３の電線（Ｏ相）１０１ｃ間に接続する直前と直後の第１の電流センサ１１１ａ及び第２の電流センサ１１１ｂが検出する電流値の変化量とに基づいて、第１の電流センサ１１１ａ及び第２の電流センサ１１１ｂの状態を判定する制御手段１１４とを備えている。
【０１０６】
上記構成において、第１の電流センサ１１１ａが第１の電線（Ｕ相）１０１ａに正しく取り付けられている場合に、電力負荷１１３を電力系統１０１の第１の電線（Ｕ相）１０１ａ−第３の電線（Ｏ相）１０１ｃ間に接続する直前と直後で第１の電流センサ１１１ａが検出する電流値の変化量が正の所定範囲から外れた値になり且つ電力負荷１１３を電力系統１０１の第２の電線（Ｗ相）１０１ｂ−第３の電線（Ｏ相）１０１ｃ間に接続する直前と直後で第１の電流センサ１１１ａが検出する電流値の変化量が所定範囲内の値になり、第２の電流センサ１１１ｂが第２の電線（Ｗ相）１０１ｂに正しく取り付けられている場合に、電力負荷１１３を電力系統１０１の第２の電線（Ｗ相）１０１ｂ−第３の電線（Ｏ相）１０１ｃ間に接続する直前と直後で第２の電流センサ１１１ｂが検出する電流値の変化量が正の所定範囲から外れた値になり且つ電力負荷１１３を電力系統１０１の第１の電線（Ｕ相）１０１ａ−第３の電線（Ｏ相）１０１ｃ間に接続する直前と直後で第２の電流センサ１１１ｂが検出する電流値の変化量が所定範囲内の値になる。
【０１０７】
もし、第１の電流センサ１１１ａが第１の電線（Ｕ相）１０１ａに逆向きに取り付けられていれば、電力負荷１１３を電力系統１０１の第１の電線（Ｕ相）１０１ａ−第３の電線（Ｏ相）１０１ｃ間に接続する直前と直後で第１の電流センサ１１１ａが検出する電流値の変化量が負の値になり、第２の電流センサ１１１ｂが第２の電線（Ｗ相）１０１ｂに逆向きに取り付けられていれば、電力負荷１１３を電力系統１０１の第２の電線（Ｗ相）１０１ｂ−第３の電線（Ｏ相）１０１ｃ間に接続する直前と直後で第２の電流センサ１１１ｂが検出する電流値の変化量が負の値になる。
【０１０８】
もし、第１の電流センサ１１１ａが誤って第２の電線（Ｗ相）１０１ｂまたは第３の電線（Ｏ相）１０１ｃに取り付けられていれば、電力負荷１１３を電力系統１０１の第２の電線（Ｗ相）１０１ｂ−第３の電線（Ｏ相）１０１ｃ間に接続する直前と直後で第１の電流センサ１１１ａが検出する電流値の変化量が所定範囲から外れた値になり、第２の電流センサ１１１ｂが誤って第１の電線（Ｕ相）１０１ａまたは第３の電線（Ｏ相）１０１ｃに取り付けられていれば、電力負荷１１３を電力系統１０１の第１の電線（Ｕ相）１０１ａ−第３の電線（Ｏ相）１０１ｃ間に接続する直前と直後で第２の電流センサ１１１ｂが検出する電流値の変化量が所定範囲から外れた値になる。
【０１０９】
もし、第１の電流センサ１１１ａが誤って第３の電線（Ｏ相）１０１ｃに取り付けられていれば、電力負荷１１３を電力系統１０１の第１の電線（Ｕ相）１０１ａ−第３の電線（Ｏ相）１０１ｃ間に接続する直前と直後で第１の電流センサ１１１ａが検出する電流値の変化量と、電力負荷１１３を電力系統１０１の第２の電線（Ｗ相）１０１ｂ−第３の電線（Ｏ相）１０１ｃ間に接続する直前と直後で第１の電流センサ１１１ａが検出する電流値の変化量とが、共に所定範囲から外れた値になり、第２の電流センサ１１１ｂが誤って第３の電線（Ｏ相）１０１ｃに取り付けられていれば、電力負荷１１３を電力系統１０１の第１の電線（Ｕ相）１０１ａ−第３の電線（Ｏ相）１０１ｃ間に接続する直前と直後で第２の電流センサ１１１ｂが検出する電流値の変化量と、電力負荷１１３を電力系統１０１の第２の電線（Ｗ相）１０１ｂ−第３の電線（Ｏ相）１０１ｃ間に接続する直前と直後で第２の電流センサ１１１ｂが検出する電流値の変化量とが、共に所定範囲から外れた値になる。
【０１１０】
もし、第１の電流センサ１１１ａが故障または断線または第１の電線（Ｕ相）１０１ａに正しく取り付けられていない場合は、電力負荷１１３を電力系統１０１の第１の電線（Ｕ相）１０１ａ−第３の電線（Ｏ相）１０１ｃ間に接続する直前と直後で第１の電流センサ１１１ａが検出する電流値の変化量が所定範囲内の値になり、第２の電流センサ１１１ｂが故障または断線または第２の電線（Ｗ相）１０１ｂに正しく取り付けられていない場合は、電力負荷１１３を電力系統１０１の第２の電線（Ｗ相）１０１ｂ−第３の電線（Ｏ相）１０１ｃ間に接続する直前と直後で第２の電流センサ１１１ｂが検出する電流値の変化量が所定範囲内の値になる。
【０１１１】
したがって、電力負荷１１３を第１の電線（Ｕ相）１０１ａ−第３の電線（Ｏ相）１０１ｃ間に接続する直前と直後の第１の電流センサ１１１ａ及び第２の電流センサ１１１ｂが検出する電流値の変化量と、電力負荷１１３を第２の電線（Ｗ相）１０１ｂ−第３の電線（Ｏ相）１０１ｃ間に接続する直前と直後の第１の電流センサ１１１ａ及び第２の電流センサ１１１ｂが検出する電流値の変化量とに基づいて、第１の電流センサ１１１ａ及び第２の電流センサ１１１ｂのそれぞれの状態（逆向き取付、誤って別の電線に取付、故障または断線または取付不良のいずれかの可能性がある異常）を判定することができる。
【０１１２】
また、予め分散型発電装置１０２に備わった電力負荷と、電流センサ１１１ａ，１１１ｂの取付状態を判定するための電力負荷とを一つの電力負荷１１３で共用することで、機器の簡素化、低コスト化を実現することができる。
【０１１３】
また、本実施の形態の分散型発電装置１０２は、制御手段１１４が、切替手段１１２により電力負荷１１３を電力系統１０１の第１の電線（Ｕ相）１０１ａ−第３の電線（Ｏ相）１０１ｃ間に接続する直前と直後で第１の電流センサ１１１ａが検出する電流値の変化量が負の場合には、第１の電流センサ１１１ａが逆向きに取り付けられている異常と判定し、その判定後は、第１の電流センサ１１１ａが検出する電流の向きを示す正負を反転させる。また、制御手段１１４が、切替手段１１２により電力負荷１１３を電力系統１０１の第２の電線（Ｗ相）１０１ｂ−第３の電線（Ｏ相）１０１ｃ間に接続する直前と直後で第２の電流センサ１１１ｂが検出する電流値の変化量が負の場合には、第２の電流センサ１１１ｂが逆向きに取り付けられている異常と判定し、その判定後は、第２の電流センサ１１１ｂが検出する電流の向きを示す正負を反転させる。このように電流センサ１１１ａ，１１１ｂの取付方向が逆向きになっている場合は、制御手段１１４が、逆向きに取り付けられていると判定した後は、電流センサ１１１ａ，１１１ｂが検出する電流の向きを示す正負を反転させることにより、電流センサ１１１ａ，１１１ｂの取付方向を自動補正するので、誤って逆向きに取り付けられた電流センサ１１１ａ，１１１ｂを正しい向きに取付直す必要がない。
【０１１４】
また、本実施の形態の分散型発電装置１０２は、制御手段１１４が、切替手段１１２により電力負荷１１３を電力系統１０１の第１の電線（Ｕ相）１０１ａ−第３の電線（Ｏ相）１０１ｃ間に接続する直前と直後で第２の電流センサ１１１ｂが検出する電流値の変化量が所定範囲から外れた場合には、第２の電流センサ１１１ｂが誤って第１の電線（Ｕ相）１０１ａまたは第３の電線（Ｏ相）１０１ｃに取り付けられている異常と判定し、切替手段１１２により電力負荷１１３を電力系統１０１の第２の電線（Ｗ相）１０１ｂ−第３の電線（Ｏ相）１０１ｃ間に接続する直前と直後で第１の電流センサ１１１ａが検出する電流値の変化量が所定範囲から外れた場合には、第１の電流センサ１１１ａが誤って第２の電線（Ｗ相）１０１ｂまたは第３の電線（Ｏ相）１０１ｃに取り付けられている異常と判定する。ここで、電流センサ１１１ａ，１１１ｂが誤って第３の電線（Ｏ相）１０１ｃに取り付けられている可能性がない場合は、逆相の電線に取り付けられている異常と判定することができる。
【０１１５】
また、本実施の形態の分散型発電装置１０２は、制御手段１１４が、切替手段１１２により電力負荷１１３を電力系統１０１の第１の電線（Ｕ相）１０１ａ−第３の電線（Ｏ相）１０１ｃ間に接続する直前と直後で第１の電流センサ１１１ａが検出する電流値の変化量が所定範囲内の場合には、第１の電流センサ１１１ａが故障または断線または第１の電線（Ｕ相）１０１ａに正しく取り付けられていない可能性がある異常と判定し、切替手段１１２により電力負荷１１３を電力系統１０１の第２の電線（Ｗ相）１０１ｂ−第３の電線（Ｏ相）１０１ｃ間に接続する直前と直後で第２の電流センサ１１１ｂが検出する電流値の変化量が所定範囲内の場合には、第２の電流センサ１１１ｂが故障または断線または第２の電線（Ｗ相）１０１ｂに正しく取り付けられていない可能性がある異常と判定する。
【０１１６】
また、本実施の形態の分散型発電装置１０２は、操作手段１１５を備え、制御手段１１４が、操作手段１１５の操作指令により、切替手段１１２の切替えを行って、第１の電流センサ１１１ａ及び第２の電流センサ１１１ｂの状態の判定を行うよう構成したので、分散型発電装置１０２の施工・メンテ作業において、操作手段１１５から操作指令がでる操作をすることになっていれば、第１の電流センサ１１１ａ及び第２の電流センサ１１１ｂの取付方向の補正、および故障、不正規な位置への取付の検出を自動で行うことになり、確認作業が容易となり、施工・メンテ作業をスムーズに行うことができる。
【０１１７】
また、本実施の形態の分散型発電装置１０２は、制御手段１１４による第１の電流センサ１１１ａ及び第２の電流センサ１１１ｂの状態の判定結果を表示する表示手段１１６を備えており、第１の電流センサ１１１ａ及び第２の電流センサ１１１ｂの異常の有無の判定を制御手段１１４が行った場合に、その結果を表示手段１１６が表示するので、分散型発電装置１０２の施工・メンテ作業者は、第１の電流センサ１１１ａ及び第２の電流センサ１１１ｂの取付方向、故障、不正規な位置への取付の結果が容易に確認でき、施工・メンテ作業をスムーズに行うことができる。
【産業上の利用可能性】
【０１１８】
以上のように、本発明にかかる分散型発電装置は、電力負荷を第１の電線−第３の電線間に接続する直前と直後の第１、第２の電流センサが検出する電流値の変化量と、電力負荷を第２の電線−第３の電線間に接続する直前と直後の第１、第２の電流センサが検出する電流値の変化量とに基づいて、第１、第２の電流センサの状態（逆向き取付、誤って別の電線に取付、故障または断線または取付不良のいずれかの可能性がある異常）を判定することができ、また、予め分散型発電装置に備わった電力負荷と、電流センサの取付状態を判定するための電力負荷とを一つの電力負荷で共用することで、機器の簡素化、低コスト化を実現することができる。そのため、燃料電池発電装置、太陽光発電装置、風力発電装置、太陽熱発電装置などの分散型発電装置等の用途にも適用することができる。
【符号の説明】
【０１１９】
１０１  電力系統
１０１ａ  第１の電線
１０１ｂ  第２の電線
１０１ｃ  第３の電線
１０２  分散型発電装置
１０３  連系点
１０５  発電機
１１１ａ  第１の電流センサ
１１１ｂ  第２の電流センサ
１１２  切替手段
１１３  電力負荷
１１４  制御手段
１１５  操作手段
１１６  表示手段
【図１】
2011160562.tif 000003
【図２】
2011160562.tif 000004
【図３】
2011160562.tif 000005
【図４】
2011160562.tif 000006